(57)【要約】      （修正有）【課題】パソコン等の物品を載置して作業できる机やテーブルは各種あるが、物品を載置するだけでなく保持・固定できるようにして、種々の姿勢で作業可能とするとともに、机やテーブル等がなくてもパソコン等を使用できる保持台を提供する。【解決手段】物品を載置するための主板を設けるとともに、主板端を主板下方に位置する下板端に開閉可能に設け、下板に対する主板の角度固定手段を設けた。【選択図】図２３
2010075649.tif 000002
【特許請求の範囲】
【請求項１】
物品を載置するための主板を設けるとともに、主板端を主板下方に位置する下板端に開閉可能に設け、下板に対する主板の角度固定手段を設けたことを特徴とする角度可変型物品保持台。
【請求項２】
主板に、主板に載置される物品の保持手段を設けてなる請求項１記載の角度可変型物品保持台。
【請求項３】
下板に、下板と主板および主板に保持される物品の重量を支えるための手段を設けてなる請求項１又は２記載の角度可変型物品保持台。
【請求項４】
下板に、主板を床面上方に所定角度で保持するための手段を設けてなる請求項１又は２記載の角度可変型物品保持台。
【請求項５】
その巾サイズを可変とする枠体を設け、この枠体上に、主板および下板を床面上方に所定角度で保持するための手段を設けてなる請求項１又は２記載の角度可変型物品保持台。
【発明の詳細な説明】
【技術分野】
【０００１】  この発明は、本やパソコン等を載置保持するとともに、その載置角度の可変も可能なる物品保持台に関する。
【背景技術】
【０００２】  従来より、種々の物品載置台が利用されているが、本発明にて示すように、物品を載置保持するとともに、その載置角度が可変なものは見あたらない。
【発明の開示】
【発明が解決しようとする課題】
【０００３】  従来より、物品を載置可能なものとしてテーブルや机が多用されているが、物品を載置保持するための機能は有さない。譜面台は脚部に連続して楽譜を載せるための平板部分を有し、この平板部分の角度変化も可能であるが物品保持機能を有さない。
事務用品としてバインダーがあり、紙片等を押圧挟持させる機能はあるが、手持ちにて使用するものである。以前より、ラップトップタイプのパソコンが多用され、デスクトップタイプに比べて小型軽量であり、画像表示部は本体部に対し開閉可能であるため、持ち運びに便利である。通常はテーブルや机の上平面に載置して使用する。
パソコンは、内部ソフト利用による単独使用のほか、インターネットによる通信的使用の頻度も高い。一般的にパソコンは平面部上に載置して使用するため、室内での使用に限定されることが多く、より多面的な利用を可能とする手段が求められている。
本発明は、以上のような従来からのパソコン利用に関わる課題を解決するために発明されたもので、より広範囲な場面でのパソコン利用を可能とする新規かつ有用なる物品を提供するべく開発されたものである。
【課題を解決するための手段】
【０００４】  課題を解決する手段として本発明は以下の構成とした。
すなわち、物品を載置するための主板を設けるとともに、主板端を主板下方に位置する下板端に開閉可能に設け、下板に対する主板の角度固定手段を設ける。本発明は以上の構成よりなる角度可変型物品保持台である。なお、主板に、主板に載置される物品の保持手段を設ける。下板に、下板と主板および主板に保持される物品の重量を支えるための手段を設ける。下板に、主板を床面上方に所定角度で保持するための手段を設けるなどの応用が可能である。
【発明の効果】
【０００５】  本発明は以下の効果を有する。
１．下板に対し主板は角度設定が可能のため、使用者の状況に対応した利用ができる。
２．主板に載置される物品の保持手段を付加することにより、主板角度変化による主板載  置物品の移動を防止することができる。
３．下板に諸重量を支える手段を設けることにて、使用者肉体への負担を軽減することが  できる。
４．主板を床面上方に所定角度にて保持する手段を付加することにて、仰臥者も利用する  ことができる。
【発明を実施するための最良の形態】
【０００６】  以下、本発明の実施形態について説明する。
図において、Ａは保持台である。この保持台は、主板、下板、左副板、右副板、ガイドレール、アームによりその主要部が構成される。
１は主板で、木製の長方形板体であり、その一端下面には木製角柱による下部棒体２が蝶番３を介して開閉可能に設けられ、この下部棒体下面に長方形板体による下板４がその辺を一致させて固着される。主板下面適所には一対のガイドレール５が固着される。
このガイドレールは、両端開放の中空角体の一側面に一端から他端に向かう所定巾の切除部を有する断面近似コ字形の金属製物品であり、その切除部を側方に向けて主板下面に互いに一定距離を持って固着される。６はアームで、金属製細長板体であり、その一端は、下板適所に設けられる支持部材に軸支され、他端に設けた孔内に雄ねじが挿通され、この雄ねじの一端は該ガイドレール内に位置するガイドレールと近似巾の小板体に固着され、雄ねじのガイドレールより突出する個所に蝶ねじが螺合する。
以上の構成にて、下板に対し主板は角度変化が可能であり、また蝶ねじをゆるめると前記小板体はガイドレールに沿ってスライド可能であり、締めると小板体はガイドレール内面に押圧接触してスライド不能となる。従って、主板角度を所定範囲内にて任意に設定して位置固定することができる。主板端上面にはレールブロック７が固着される。このレールブロックはその下部に複数個のスリット８を有し、その上面には前述のものと同様形状のガイドレール９が切除部を上方にして取り付けられる。
１０は主板端に設けられる湾曲小板体による止め板、１１はレールブロックの中央下方に穿設される孔、１２は主板適所に複数個刻設される雌ねじである。１３は左副板で、その一端に段部を有し、またその右方には金属板による接続板１４がその上面を左副板上面と一致させて固着される。主板左端近傍には雌ねじが刻設され、接続板の有する孔と一致させて雄ねじを有するつまみ１５にて該副板は下板に螺着される。主板右方にも同様にして右副板１６が接続板とつまみにより螺着される。
１７は下板に取り付けられる補助体ステーである。この補助体ステーは両端開放の中空角体であり、下板下面に対し前後に開放部分を有して取り付けられ、その下面適所に雌ねじが刻設され、ここに雄ねじを有するつまみ１８が螺合している。１９は主板端近傍に穿設される一対の貫通孔である。
以上の構成にて保持台Ａが構成される。【０００７】  ２０は上面固定体である。２１は金属製小板体による押圧板、２２は該押圧板下面に固着される同形のゴム板である。この押圧板上面中央にはコ字形の支持板２３が固着され、その上方に貫通孔が穿設される。２４は中空角体によるアームで、該アーム両端には孔が穿設され、一方の孔は支持板の孔と一致して軸支される。２５はスライド板で、その巾は前記のガイドレール９内をスライド可能な巾であり、このガイド板には雄ねじが固着立設し、この雄ねじには、その中央に雌ねじを刻設するとともに外周に連続凹凸を設けた小円柱状のつまみ２６が螺合している。該雄ねじ上端にはアーム回動機構部２７が設けられる。
２８は略コ字形の支持板で、その上部に貫通孔が穿設される。
２９は軸で、その一部に大径の鍔部３０が形成され、この軸の他端には雄ねじが刻設される。３１はつまみで、適宜長の円筒部を有し、この円筒部の内面には雌ねじが刻設され、円筒外面は支持板の孔内に位置する。これらは図７に示すごとく、アーム２４の孔内に軸２９が位置し、この軸の雄ねじにつまみの雌ねじが螺合する。このつまみを回して締めることにて軸とつまみ間の距離は接近して鍔部と支持板内面間にてアーム端は押圧保持され、支持板に対してアーム角度を固定することができる。【０００８】  ４０は側面固定体である。４１は略コ字形丸棒よりなるアームで、その一端には雄ねじが刻設され、この雄ねじに、上面固定体で用いたつまみ２６と同様のつまみ４２が螺合する。４３は小平板のスライド板で、アームの一端に固着される。
５０は上部固定体である。５１は螺着体で、金属製小円柱の一部に雄ねじを刻設し、また該小円柱の一部に大径部を設けるとともに、この大径部外周に連続凹凸部を形成したものである。５２はつまみで、その外周に上記同様の連続凹凸部を設け、つまみ中央には雌ねじが刻設され、図１０のように螺着体に螺合する。また、螺着体の一部に貫通孔が穿設されるとともにこの螺着体とつまみは一対が設けられ、前記の孔間には、金属製細線材をよりあわせてなるワイヤー５３が取り付けられる。【０００９】  ６０は書籍押圧体である。６１は市販の押圧保持体で、有孔の略円柱体内に有孔のコマが位置するとともに、このコマはスプリングにより略円柱体に押圧されており、紐等をこれらの孔に挿通させたとき、コマを外方より押圧するとこれらの孔が一致して紐の孔に対する移動が可能となり、押圧解除にて互いの孔位置が変化して紐を押圧し、円柱に対する紐の移動を阻止することができるものである。６２は押圧保持体内に挿通されるゴム紐、６３は棒体、６４はゴム紐の他端近傍に固定される止め環である。
７０はページ押圧体である。７１はスライド板で、その中央正面には雄ねじが固着立設し、この雄ねじに既述同様のつまみ７２が螺合している。７３は回動体である。この回動体は金属製小円柱の中央下部に雌ねじを刻設し、その外周に連続凹凸を形成し、小円柱上部中央にスリットを設けたもので、雄ねじ上部に螺合している。７４は湾曲形状の板バネで、その一端は上記スリット内に挿入固着され、他端は、その上部にスリットを有する合成樹脂球による押圧体７５に挿入固着される。【００１０】  次に、保持台に対するパソコン等の固定について説明する。
まず、主板上にパソコンの画面表示部を開いて載せ、パソコン手前面はレールブロックに接触もしくは接近する位置とする。次に、既述の上面固定体のスライド板をガイドレール９内に入れ、押圧板がパソコン本体上方に位置するように上面固定体をスライドさせ、位置を決めてつまみ２６を締める。これにてつまみとスライド板は接近し、スライド板上面とつまみ下面間にガイドレールの上部が押圧保持され、ガイドレールに対するスライド板の固定がなされる。そして、つまみ３１をゆるめることにてアーム２４の回動が可能となるので、押圧板２１の下面のゴム板をパソコン本体上面に押圧接触させてつまみを締めることにてパソコン本体を主板上に固定することができる。
次に、側面固定体を用いる。上記と同様にスライド板４３をガイドレールの側方から挿入し、アームをパソコンの側面に当接させた後、つまみ４２を締めて固定する。
以上の上面固定体および側面固定体は各々一対が用意され、パソコン本体上面の左右が上面固定体にて押圧保持され、各側面は側面固定体にて保持される。【００１１】  主板が水平もしくは近似水平にて用いるときは以上にて主板にパソコンが安定保持されるが、主板を傾斜させて用いるときのために、上部固定体５０を併用する。
パソコン（ラップトップ型）の本体と画像表示部間は回動可能に設けられており、この本体と画像表示部の両端部分には若干の間隙がある。この間隙に上部固定体のワイヤーを掛け渡し、螺着体５１の雄ねじ部分を前記貫通孔１９に挿入し、主板下面より突出する雄ねじ部分につまみ５２を螺着させる。このとき、雄ねじが回転しないように大径部を指で押さえながらつまみを締める。この作業を左右双方にて行うことにて、パソコン上部（画像表示部接近部分）は主板に固定される。
以上にて、主板傾斜時にてもパソコンが安定保持される。【００１２】  パソコンに代えて書籍を利用するときは、既述の上面固定体等に代えて書籍押圧体とページ押圧体を用いる。
まず、主板上に書籍を開いて載せる。次に棒体６３を手に持ち、孔１１内を通過させてゴム紐を開いた書籍の中央に当接させ、棒体は止め板１０内を通過する。止め板下方に突出するゴム紐を前記の押圧保持体内に挿入して係止させる。これにより、ゴム紐の張力にて書籍中央は押圧され、孔１１の内径より止め環外径は大きく、ゴム紐他端は押圧保持体にて押圧保持されるとともに、この押圧保持体は止め板内径より大である。従って、主板上に書籍中央が押圧保持される。主板が略水平の場合はこれでよいが、主板が傾斜した場合にはページが垂れ下がるため、ページ押圧体を併用する。
スライド板７１をガイドレール９内につまみ７２にて位置を選んで押圧保持させると、板バネ先端の押圧体はページに押圧接触してページの垂れ下がりを防止することができる。また、回動体を指でつまんで回動させることにて、ページの押圧個所を容易に変更することができる。このページ押圧体は一対が用意され、左右のページを押圧保持して用いることができる。【００１３】  パソコンを保持させた主板は、イス等に着座した人体の脚上に置いて用いることができるが、人体位置により主板位置が影響を受け、かつ諸々の重量が人体への負担となるため、次に示す種々の補助用具を用いる。
８０は補助体である。小板体による挿入板８１の一端に筒状部を形成し、この筒状部内に略四角形に形成した丸棒による環体８２の一部を回動可能に位置させ、環体他端に丸棒による挿入棒８３を固着し、以上にて補助体が構成される。
８４は脚体である。底板８５の中央上面に、適宜支持部材にて外管体８６の一端を回動可能に取り付け、この外管体内に適宜長の内管体８７を挿入し、外管体および内管体の上部側面に雌ねじを刻設し、これらの雌ねじに、雄ねじを有するつまみを螺着させる。
以上にて脚体が構成される。
使用時はまず前記下板４に取り付けてある補助体ステー１７内に挿入板８１を挿入し、つまみ１８にてこの挿入板を押圧保持させる。次に挿入棒を回動させて下向きにし、床面上に底板８５を置いて外管体を上向きにし、内管体内に挿入棒を挿入し、つまみにて固定する。このとき、内管体を外管体より適宜に引き出してつまみにて固定する。
つまり、図２３にて示すように、人体上に下板が載置されるとともに重量は底板にて床面に伝わり、各重量の一部のみが人体に伝わって、使用者の負担を軽減させ、かつ主板等の位置を安定させることができる。【００１４】  次に座板を用いる別法を説明する。
図において、９０は木製平板による座板で、その長辺方向中央端面間には角形の貫通孔９１が設けられている。この座板の一方の短辺寄りの上面から貫通孔に向けて雌ねじが刻設され、ここに、雄ねじを有するつまみ９２が螺合する。９３は挿入体である。
９４は座板の貫通孔に挿入可能サイズの挿入板、９５は挿入板の一端近傍上面に適宜支持部材にて回動可能に軸支される外管体、９６は外管体内に位置する適宜長の内管体で、前記の脚体同様につまみが設けられる。使用に際しては、補助体８０を用い、座板の貫通孔内に挿入板を挿入し、座板をイス等に着座した人体の下に敷き、各つまみにて位置調整をする。この状態において、各重量の一部は座板が受け持ち、他は人体脚上部が受け持つため、前記同様に位置を安定させるとともに人体への負担を軽減させることができる。【００１５】  図２９〜図３１は、人体仰臥時使用のための補助具としての装着補助体１００である。
１０１は側板で、長方形板体であり、その後面一部は内方に折曲される。また、側板下部は直角に外方に折曲されて脚部１０２となり、この脚部長は側板長より長く形成される。
側板の外側面下部には既述の例で用いたものと同様のガイドレール１０３が脚部と平行に取り付けられる。側板内面の上部から下部に向けて一対の伸縮体１０４が設けられる。
この伸縮体は、サイズを違えた両端開放の中空角体を入れ子式に設けたもので、既述の例のごとくつまみが各々設けられ、このつまみにて伸縮位置の可変と固定がなされる。
この伸縮体は所定距離を持って平行に２本が側板内面に設けられる。
この伸縮体のうち、手前側はその上部に適宜軸支支持部材としての前方支持部１０５を用いて回動板１０６が回動可能に設けられる。この回動板は平板であり、その側部に一体延長する腕部分１０７を有している。他方の伸縮体上部にも略コ字形の適宜支持部材による後方支持部１０８が設けられる。１０９は中空角体によるアームで、その一端は回動板端近傍に設けられる支持部材に回動可能に軸支され、他端は後方支持部材に支持される。
つまり、後方支持部材上部にはコ字形板体が設けられ、アームをこのコ字形板体内に位置させ、雄ねじを有するつまみがこのコ字形板体側面の雌ねじと螺合する。従って、このつまみを締めることにてコ字形板体に対するアームの位置固定が可能となるものである。以上既述した構成物は左右一対が設けられ、前記伸縮体と同様の伸縮体１１０にて接続される。すなわち、側板の折曲部分上部にこの伸縮体が取り付けられ、つまみ操作にてその位置固定と解除が選択される。
１１１は回動板保持体である。この回動板保持体は、金属平板を折曲して凹部を形成したものであり、その四隅近傍には取り付け孔が穿設され、中央には一対の雌ねじが刻設され、ここに雄ねじを有するつまみが螺合する。この回動板保持体は、下板４に穿設した雌ねじ１２にビス止めにて下板下面に一対が螺着される。【００１６】  本例使用に際しては、下板に取り付けた回動板保持体内に、回動板１０６の腕部を挿入し、つまみにて固定する。これにてパソコンを保持させた主板は装着補助体に取り付けられる。回動板は既述のごとくその角度変化と位置固定が可能である。つまり後方支持部のつまみ操作にてアーム１０８の位置調整と固定が可能である。さらに下板に対する主板の角度変化も可能であるため、図３４に示す垂直位置はもとよりさらに前方に倒した位置とすることができる。使用者は側板間に体を位置させて仰臥し、手を伸ばして主板に取り付けられているパソコンを操作することができる。
１１２は安定板である。細長板体の一端にブロック状部分を設けたもので、小平板に雄ねじを立設し、これを該細長板体の孔に挿通し、蝶ねじにて締めるよう構成したもので、既述手段のようにガイドレール内に取り付けて使用するもので、装着補助体の床面に対する安定を目的としている。この安定板は左右一対が用いられ、装着補助体に対する移動と固定が可能である。
図３５〜図３７は、載置台である。これは主板等を載置するためのものである。
図において、１２０は枠体で、木製の長方形平板を補強板を介して四角形に接合したもので、一対が設けられる。１２１は中空角体を入れ子式に組み合わせた外方伸縮体で、枠体後面上部に取り付けられ、既述の例のごとくつまみにて伸縮位置の固定が可能である。
１２２は同様構成の内方伸縮体で、枠体中間位置下面に取り付けられる。
使用者は、イス等に着座し、パソコンを取り付けた主板等をこの枠体正面に載置して使用する。なお、先述の副板はパソコン使用時の便宜を図るためのもので、左副板には原稿等を載置し、必要に応じてクリップで留め、右副板はマウス操作のスペースである。
双方の副板ともに、下部に段部を有するので、主板傾斜時における載置物品等の落下を防止することができる。なおこの副板は着脱可能であり、状況に応じて除去して使用することができる。【００１７】  以上、本発明について記したが、本発明は傾斜可能なる保持台にパソコン等を保持して使用できるところにその特徴を有するものである。従来はこのような保持台が無く、机やテーブル等の安定平面が必要であり、そのためにパソコンの使用場所が限定されるものであった。しかるに、既述のごとく本発明使用により、パソコンを使用者の状況に応じた任意角度で利用することができるとともに、その傾斜角度設定も可変であり、机等が無くても利用でき、また、着座のみならず仰臥状態での利用も可能であるので、旅行時や寝たきり状態の人でもパソコン等を用いることのできる有用なる物品を得ることができるのである。本発明は、保持台を主体としているが、各補助物品の併用にて種々の状況に対応することができる。なお、スリット８はパソコンに接続するためのコード等を通すためのものである。他法として、図３４に示す装着補助体１００を図３８で示す枠体１２０の上部に取り付けて使用してもよい。このとき、装着補助体１００の脚部適所に孔を穿設し、また枠体１２０の上面に孔を穿設し、互いの孔を一致させてボルトナットにて締めたり、あるいは枠体に雌ねじを刻設し、雄ねじを有するつまみにて締めるなどの手段にて双方物品が固定される。この装着補助体に既述のように主板等を取り付けて使用する。
図３８の方法では顔面は下向きになるが、上記手段では保持台は高くなるため、顔面を下に向けなくてもパソコンの操作ができる。なお、既述の例は実施の一例であり、近似の他の構成としてもよい。以上のごとく、本発明によりパソコン等のより広範囲な場面での利用を可能とする新規な物品を提供することができる。
【図面の簡単な説明】
【００１８】
【図１】  本発明の保持台の平面図
【図２】  本発明の保持台の正面図
【図３】  本発明の保持台の拡大左側面図（主板水平時）
【図４】  本発明の保持台の拡大左側面図（主板傾斜時）
【図５】  本発明の上面固定体の拡大平面図
【図６】  本発明の上面固定体の拡大正面図
【図７】  本発明の上面固定体の要部拡大説明図（平面視）
【図８】  本発明の側面固定体の拡大平面図
【図９】  本発明の側面固定体の拡大正面図
【図１０】  本発明の上部固定体の拡大正面図
【図１１】  本発明の要部説明図（上部固定体装着状態）
【図１２】  本発明の物品保持状態説明図（一部略）
【図１３】  本発明の物品保持状態図
【図１４】  本発明の書籍押圧体の正面図（一部略）
【図１５】  本発明のページ押圧体の拡大平面図
【図１６】  本発明のページ押圧体の拡大正面図
【図１７】  本発明のページ押圧体の要部構造説明図
【図１８】  本発明の保持台の平面図（書籍押圧時）
【図１９】  本発明の補助体の拡大正面図
【図２０】  本発明の補助体の拡大平面図
【図２１】  本発明の脚体の正面図
【図２２】  本発明の脚体の右側面図
【図２３】  本発明の使用状態図（脚体使用時）
【図２４】  本発明の座板の拡大平面図
【図２５】  本発明の座板の拡大正面図
【図２６】  本発明の挿入体の拡大平面図
【図２７】  本発明の挿入体の拡大正面図
【図２８】  本発明の使用状態図（座板使用時）
【図２９】  本発明の装着補助体の平面図（一部略）
【図３０】  本発明の装着補助体の正面図
【図３１】  本発明の装着補助体の左側面図
【図３２】  本発明の安定板の拡大正面図
【図３３】  本発明の安定板の拡大平面図
【図３４】  本発明の使用状態図（装着補助体使用時）
【図３５】  本発明の載置台の平面図
【図３６】  本発明の載置台の正面図
【図３７】  本発明の載置台の左側面図
【図３８】  本発明の使用状態図（載置台使用時）
【図３９】  本発明の補助体ステーの拡大平面図
【図４０】  本発明の補助体ステーの拡大正面図
【符号の説明】
【００１９】    Ａ  保持台
Ｂ  パソコン
Ｃ  書籍
１  主板
２  下部棒体
３  蝶番
４  下板
５  ガイドレール
６  アーム
７  レールブロック
８  スリット
９  ガイドレール
１０  止め板
１１  孔
１２  雌ねじ
１３  左副板
１４  接続板
１５  つまみ
１６  右副板
１７  補助体ステー
１８  つまみ
１９  貫通孔
２０  上面固定体
２１  押圧板
２２  ゴム板
２３  支持板
２４  アーム
２５  スライド板
２６  つまみ
２７  アーム回動機構部
２８  支持板
２９  軸
３０  鍔部
３１  つまみ
４０  側面固定体
４１  アーム
４２  つまみ
４３  スライド板
５０  上部固定体
５１  螺着体
５２  つまみ
５３  ワイヤー
６０  書籍押圧体
６１  押圧保持体
６２  ゴム紐
６３  棒体
６４  止め環
７０  ページ押圧体
７１  スライド板
７２  つまみ
７３  回動体
７４  板バネ
７５  押圧体
８０  補助体
８１  挿入板
８２  環体
８３  挿入棒
８４  脚体
８５  底板
８６  外管体
８７  内管体
９０  座板
９１  貫通孔
９２  つまみ
９３  挿入体
９４  挿入板
９５  外管体
９６  内管体
１００  装着補助体
１０１  側板
１０２  脚部
１０３  ガイドレール
１０４  伸縮体
１０５  前方支持部
１０６  回動板
１０７  腕部
１０８  後方支持部
１０９  アーム
１１０  伸縮体
１１１  回動板保持体
１１２  安定版
１２０  枠体
１２１  外方伸縮体
１２２  内方伸縮体
【図１】
2010075649.tif 000003
【図２】
2010075649.tif 000004
【図３】
2010075649.tif 000005
【図４】
2010075649.tif 000006
【図５】
2010075649.tif 000007
【図６】
2010075649.tif 000008
【図７】
2010075649.tif 000009
【図８】
2010075649.tif 000010
【図９】
2010075649.tif 000011
【図１０】
2010075649.tif 000012
【図１１】
2010075649.tif 000013
【図１２】
2010075649.tif 000014
【図１３】
2010075649.tif 000015
【図１４】
2010075649.tif 000016
【図１５】
2010075649.tif 000017
【図１６】
2010075649.tif 000018
【図１７】
2010075649.tif 000019
【図１８】
2010075649.tif 000020
【図１９】
2010075649.tif 000021
【図２０】
2010075649.tif 000022
【図２１】
2010075649.tif 000023
【図２２】
2010075649.tif 000024
【図２３】
2010075649.tif 000025
【図２４】
2010075649.tif 000026
【図２５】
2010075649.tif 000027
【図２６】
2010075649.tif 000028
【図２７】
2010075649.tif 000029
【図２８】
2010075649.tif 000030
【図２９】
2010075649.tif 000031
【図３０】
2010075649.tif 000032
【図３１】
2010075649.tif 000033
【図３２】
2010075649.tif 000034
【図３３】
2010075649.tif 000035
【図３４】
2010075649.tif 000036
【図３５】
2010075649.tif 000037
【図３６】
2010075649.tif 000038
【図３７】
2010075649.tif 000039
【図３８】
2010075649.tif 000040
【図３９】
2010075649.tif 000041
【図４０】
2010075649.tif 000042